(57)【特許請求の範囲】
【請求項１】
床下空間に空調装置が設置された建物の熱利用構造であって、
前記床下空間の側方を囲うように形成される基礎断熱部と、
前記建物の外周の少なくとも一部の側縁から地表面に沿って延伸される地表断熱部と、
前記地表断熱部の下方の地盤の地中熱を取り込むための地中熱利用装置とを備え、
前記基礎断熱部間の底版の上面には、断熱材が配置されていないことを特徴とする建物の熱利用構造。
【請求項２】
前記地表断熱部の前記建物とは反対側の端部から地中に向けて延伸される地中断熱部を備えたことを特徴とする請求項１に記載の建物の熱利用構造。
【請求項３】
前記基礎断熱部は、前記建物の外周側に形成されるとともに、前記地表断熱部に隣接する側では前記地表断熱部より下方には基礎断熱部が形成されないことを特徴とする請求項１又は２に記載の建物の熱利用構造。
【請求項４】
前記地中熱利用装置は、前記地表断熱部の下方に形成される地中経路と、その地中経路の一端に設けられる空気を取り込むための吸入口と、前記地中経路の他端に設けられる排出口と、前記地中経路内の空気を移送させるための送風機とを備えたことを特徴とする請求項１乃至３のいずれか一項に記載の建物の熱利用構造。
【発明の詳細な説明】
【技術分野】
【０００１】
本発明は、床下空間に設置された空調装置から放出された温熱や冷熱を有効に利用するための建物の熱利用構造に関するものである。
【背景技術】
【０００２】
従来、地中熱を利用することで住宅の空調装置の効率を向上させ、電気やガスなどのエネルギー消費量を削減させる空調システムが知られている（特許文献１，２参照）。
【０００３】
特許文献１には、地中埋設チューブに外気を通過させることで、外気の温度を地中の温度に近づけさせ、その地中埋設チューブを経由させた外気を住宅の屋内に供給する地熱利用空調システムが開示されている。
【０００４】
すなわち、地中の温度は、外気に比べて夏期は低く、冬期は高いため、地中の温度に近づけさせた外気を屋内に取り込むことで、夏期は屋内を冷やすことができ、冬期は屋内を暖めることができる。
【０００５】
また、特許文献２には、地盤の比較的に浅い位置に熱移送パイプを埋設し、地中熱を取り出して冷暖房に利用させる地中熱利用冷暖房装置が開示されている。さらに、この特許文献２には、地表からの放射冷却や日射による加熱などの影響を遮断するために、熱移送パイプの上方に断熱材層を設けることが記載されている。
【先行技術文献】
【特許文献】
【０００６】
【特許文献１】特開２００３−３５４３３号公報
【特許文献２】特開２００６−２０７９１９号公報
【発明の概要】
【発明が解決しようとする課題】
【０００７】
しかしながら、特許文献１に開示された地熱利用空調システムは、地盤に自然に蓄えられた地中熱を利用する構成であるため、地盤の温度によっては有効に機能しない場合もある。
【０００８】
また、特許文献２の地中熱利用冷暖房装置では、熱移送パイプに地中熱以外の影響が及ぶことを抑えるために断熱材層を配置する構成が開示されてはいるが、空調装置から放出された温熱や冷熱を有効に利用するための構成にはなっていない。すなわち、床下空間の熱が地盤に伝達され易い基礎断熱構造をとる実施例では、床下空間と熱移送パイプとの間に断熱材層が配置されて熱の移動を遮断する構成になっている。
【０００９】
そこで、本発明は、床下空間に設置された空調装置から放出された温熱や冷熱を有効に利用することが可能な建物の熱利用構造を提供することを目的としている。
【課題を解決するための手段】
【００１０】
前記目的を達成するために、本発明の建物の熱利用構造は、床下空間に空調装置が設置された建物の熱利用構造であって、前記床下空間の側方を囲うように形成される基礎断熱部と、前記建物の外周の少なくとも一部の側縁から地表面に沿って延伸される地表断熱部と、前記地表断熱部の下方の地盤の地中熱を取り込むための地中熱利用装置とを備えたことを特徴とする。
【００１１】
ここで、前記地表断熱部の前記建物とは反対側の端部から地中に向けて延伸される地中断熱部を備えた構成とすることが好ましい。
【００１２】
また、前記基礎断熱部は、前記建物の外周側に形成されるとともに、前記地表断熱部に隣接する側では前記地表断熱部より下方には基礎断熱部が形成されない構成とすることができる。
【００１３】
さらに、前記地中熱利用装置は、前記地表断熱部の下方に形成される地中経路と、その地中経路の一端に設けられる空気を取り込むための吸入口と、前記地中経路の他端に設けられる排出口と、前記地中経路内の空気を移送させるための送風機とを備えた構成とすることができる。
【発明の効果】
【００１４】
このように構成された本発明の建物の熱利用構造は、空調装置が設置される床下空間の側方が基礎断熱部によって囲われており、建物の外周の地表面には地表断熱部が形成されている。また、その地表断熱部の下方の地盤の地中熱を取り込むための地中熱利用装置を備えている。
【００１５】
このため、床下空間に設置された空調装置から放出されて地盤に伝達された温熱や冷熱を、地表面から放出させる前に有効に利用することができる。
【００１６】
また、地表断熱部の端部に地中に向けて延伸される地中断熱部を設けることによって、空調装置から放出された温熱や冷熱が地盤の横方向に広がって消失するのを防ぐことができる。
【００１７】
さらに、地表断熱部と地中断熱部によって覆われる側では、基礎の側面に配置される基礎断熱部の一部を省略することができ、経済的である。
【００１８】
また、一端に吸入口が設けられ、他端に排出口が設けられた簡単な構成の地中経路を使用した地中熱利用装置であれば、施工コストが低く、メンテナンスも容易におこなうことができる。また、建物の外周の地盤に地中経路を設けるのであれば、建物の建設後にも容易に設置できるうえに、メンテナンスがし易くなる。
【図面の簡単な説明】
【００１９】
【図１】本発明の実施の形態の建物の熱利用構造の構成を模式的に示した説明図である。
【図２】空調装置の屋外機周辺の構成を説明する斜視図である。
【図３】実施例２の建物の熱利用構造の構成を模式的に示した説明図である。
【発明を実施するための形態】
【００２０】
以下、本発明の実施の形態について図面を参照して説明する。図１は、建物としての住宅１に本実施の形態の建物の熱利用構造を適用した構成を模式的に示した説明図である。
【００２１】
この住宅１は、鉄筋コンクリート製の底版１ｂとその外縁に立設される側壁１ａとによって箱形に形成された基礎部１０の上に構築され、基礎部１０と床１ｃに囲まれた空間が床下空間１２となる。
【００２２】
そして、床下空間１２に設置された空調装置２によって床下空間１２の空気が暖められたり、冷やされたりして、その温熱又は冷熱が床１ｃを通って室内１１に伝達されることで、室内１１の暖房又は冷房になる。
【００２３】
この基礎部１０の内周面には、断熱材によって基礎断熱部１４が形成される。この断熱材には、グラスウール、発泡ウレタン、発泡スチロールなどが使用できる。
【００２４】
また、基礎断熱部１４は、側壁１ａの内周面に沿って形成される側面部１４ａと、基礎部１０の底版１ｂの上面に側面部１４ａに隣接して形成される底面部１４ｂとによって構成される。
【００２５】
このように床下空間１２の側方が基礎断熱部１４によって囲まれると、空調装置２から放出された温熱又は冷熱は、床１ｃ方向又は底版１ｂ方向に主に伝達され、側方から漏出することがほとんどなくなる。
【００２６】
一方、この住宅１の外周には、図１に示すように地盤Ｇの地表面に沿って地表断熱部７１が設けられる。この地表断熱部７１の一端は住宅１の基礎部１０の外周面に当接されており、そこから住宅１から離隔する横方向に延伸される。
【００２７】
この地表断熱部７１は、断熱材を地表の浅い部分に埋設させたり、地表面を断熱材で覆ったりすることによって形成される。この断熱材には、発泡ウレタン、発泡スチロールなどの発泡系断熱材が使用できる。
【００２８】
また、地表断熱部７１の住宅１とは反対側の端部からは、地盤Ｇの深部に向けて地中断熱部７２が垂下される。この地中断熱部７２も、地表断熱部７１と同様の断熱材によって形成することができる。
【００２９】
そして、地表断熱部７１の下方であって、地中断熱部７２よりも住宅１側の地盤Ｇに対して地中熱利用装置が設置される。この地中熱利用装置は、図１に示すように、地中経路としての地中埋設管５と、その地中埋設管５の一端に設けられる外気を取り込むための吸入口５１と、地中埋設管５の他端に設けられる排出口５２と、地中埋設管５内の空気を移送させるための送風機としてのファン５３とを主に備えている。
【００３０】
この地中埋設管５は、連続した一本の貫通路が形成されるものであって、鋼管、塩化ビニル管などの管材によって構築される。そして、地中埋設管５の開口された両端の一方の端部が吸入口５１となり、他方の端部が排出口５２となる。
【００３１】
さらに詳細に説明すると、地中埋設管５は、雨水の浸入を防ぐために下方に向けて曲折された吸入口５１が設けられ、鉛直下方に向けて延設されて地中深部で折り返される。そして、鉛直上方に引き返されて再び地表断熱部７１から立ち上げられた端部には排出口５２が設けられる。なお、地中埋設管５を埋設する位置は、図１に二点鎖線で示された後述する熱伝達範囲Ｈ内に収まるようにする。
【００３２】
また、排出口５２の開口には、図１に示すようにファン５３が接続される。このファン５３を稼働させると、地中埋設管５内が負圧になって吸入口５１周辺の外気が吸入口５１に吸い込まれて地中埋設管５内を移送される。
【００３３】
そして、吸い込まれた外気の温度が地中の温度より高ければ、この移送中に外気の熱が地中に移動して外気（空気）の温度が低下し、住宅１周辺の外気より低い温度の空気が排出口５２から吐き出される。
【００３４】
他方、吸い込まれた外気の温度が地中の温度より低ければ、地中埋設管５の移送中に地中の熱が外気に移動して外気（空気）の温度が上昇し、住宅１周辺の外気より高い温度の空気が排出口５２から吐き出される。
【００３５】
ここで、地表断熱部７１の下方の地盤Ｇには、床下空間１２に設置された空調装置２から放出された温熱又は冷熱が伝達されている。図１に示した二点鎖線は、空調装置２の熱が地盤Ｇに伝達される熱伝達範囲Ｈを示している。
【００３６】
そして、この熱伝達範囲Ｈより地表側の地盤Ｇの温度は、空調装置２による暖房時には周辺の地盤Ｇの温度より高く、空調装置２による冷房時には周辺の地盤Ｇの温度より低くなる。
【００３７】
ここで、この空調装置２は、屋外１３に配管された冷媒経路４を介して屋外機３と接続されている。すなわち、本実施の形態で説明する空調装置２は、床下空間１２の空気と熱交換をおこなう装置であって、屋外１３の空気と熱交換をおこなう屋外機３と冷媒経路４で繋がれるヒートポンプ式空調装置である。
【００３８】
この空調装置２について、図２の屋外機３の構成を参照しながらさらに詳細に説明する。この熱搬送流体の経路となる冷媒経路４には、２本の冷媒管４１，４２が配管されており、その内部を冷媒（図示省略）が搬送される。
【００３９】
この冷媒は、空調装置２と屋外機３との間で循環される熱搬送流体であり、冷房時と暖房時では搬送方向が逆になる。例えば、冷房時では、冷媒管４２を通って圧縮機３３に流れ込んだ気体状の冷媒は、圧縮機３３内で圧縮されて高圧・高温状態になる。
【００４０】
そして、その状態で屋外機３の熱交換部３５に流れ込み、屋外機３の外気取込口３１から取り込まれた外気と熱交換される。このとき、冷媒は温度が下がって液状になり、熱交換部３５を通過した外気の温度は上昇して排気口３２から排出される。
【００４１】
続いて、液状になった冷媒は膨張弁３４に搬送され、圧力を一気に下げられて低圧・低温状態になって液状のまま冷媒管４１を通って空調装置２に搬送される。
【００４２】
一方、床下空間１２に設置された空調装置２には、吸気口（図示省略）から床下空間１２の空気が取り込まれ、この取り込まれた空気は、図１の床下空間１２の矢印で示すように送風口（図示省略）から排出される。この空調装置２の吸気口と送風口との間には熱交換機２１があり、その熱交換機２１に冷媒管４１から低温の冷媒が流れ込む。
【００４３】
この空調装置２の熱交換機２１では、床下空間１２の空気に間接的に触れた冷媒が空気中の熱を奪って蒸発して気体に変化する。そして、熱を奪われた空気は、冷風として送風口から床下空間１２に吹き出される。
【００４４】
これに対して暖房時は、冷房時とは逆向きに冷媒が循環することになる。すなわち、空調装置２の熱交換機２１には高圧・高温の気体状の冷媒が搬送され、吸気口から取り込まれた床下空間１２の空気を温風に変えて送風口から吹き出させる。
【００４５】
そして、熱交換機２１において熱を奪われて液状になった冷媒は、冷媒管４１を通って屋外機３の膨張弁３４に搬送される。この膨張弁３４で圧力を一気に下げられて低圧・低温状態になった冷媒は、液状のまま熱交換部３５に搬送される。
【００４６】
続いて、熱交換部３５に搬送された冷媒は、屋外機３の外気取込口３１から取り込まれた外気と熱交換をおこなう。この結果、冷媒は気体になって温度が上昇し、熱交換部３５を通過した外気の温度は下降して排気口３２から排出される。
【００４７】
さらに、熱交換部３５から圧縮機３３に流れ込んだ気体状の冷媒は、圧縮機３３内で圧縮されて高圧・高温状態になって冷媒管４２を通って空調装置２に向けて搬送される。
【００４８】
また、図２に示すように、ファン５３と屋外機３の外気取込口３１との間は、カバー部６によって覆われている。このカバー部６は、一方の端部がファン５３の吹出口（図示省略）と略同じ大きさの断面形に形成されており、そこから徐々に広がって他方の端部は外気取込口３１と略同じ大きさの断面形に形成されている。
【００４９】
そして、ファン５３から吹き出された空気は、カバー部６の内空を通って屋外機３の外気取込口３１に供給される。
【００５０】
次に、本実施の形態の住宅１の熱利用構造の作用について説明する。
【００５１】
このように構成された本実施の形態の住宅１の熱利用構造は、空調装置２が設置される床下空間１２の側方が基礎断熱部１４によって囲われており、住宅１の外周の地表面には地表断熱部７１が形成されている。また、その地表断熱部７１の下方の地盤Ｇの熱伝達範囲Ｈから地中熱を取り込むための地中埋設管５を備えている。
【００５２】
このため、床下空間１２に設置された空調装置２から放出されて地盤Ｇの熱伝達範囲Ｈに伝達された温熱や冷熱を、地表面から放出させる前に有効に利用することができる。
【００５３】
すなわち、地中埋設管５を移送されて排出される空気は、地盤Ｇの地中熱によって、冷房がおこなわれる夏期は外気よりも温度が低く、暖房がおこなわれる冬期は外気よりも温度が高くなる。これに加えて本実施の形態の住宅１の熱利用構造であれば、夏期の冷房時は、空調装置２から放出された冷熱によって熱伝達範囲Ｈの温度は周辺の地盤Ｇの地中熱の温度よりも低くなる。また、冬期の暖房時は、空調装置２から放出された温熱によって熱伝達範囲Ｈの温度は周辺の地盤Ｇの地中熱の温度よりも高くなる。
【００５４】
このため、冷房時はそのままの外気を使って熱交換部３５で熱交換をおこなわせるよりも冷媒の温度を効率的に下げることができ、反対に暖房時は冷媒の温度を効率的に上げることができる。
【００５５】
また、地表断熱部７１の端部に地中に向けて延伸される地中断熱部７２を設けることによって、空調装置２から放出されて熱伝達範囲Ｈに広がった温熱や冷熱が、さらに地盤Ｇの横方向に広がって消失するのを防ぐことができる。
【００５６】
すなわち、地中埋設管５を基礎部１０と地表断熱部７１と地中断熱部７２とで囲むことで、温熱や冷熱の熱源となる空調装置２から基礎部１０を介して地盤Ｇに伝達される熱の消失を防ぐことができるうえに、太陽熱や外気温などが地中埋設管５周辺の地盤Ｇに伝達されるのを防ぐことができ、熱伝達範囲Ｈ内の地中熱を有効に利用することができる。
【００５７】
また、床下空間１２の下方の地盤Ｇの温度を、暖房時には高く、冷房時には低くできれば、その分、空調装置２の損失が少なくなって室内１１の暖房又は冷房を効率良くおこなうことができる。
【００５８】
さらに、一端に吸入口５１が設けられ、他端に排出口５２が設けられた簡単な構成の地中埋設管５を使用した地中熱利用装置であれば、施工コストが低く、メンテナンスも容易におこなうことができる。
【００５９】
また、住宅１の外周の地盤Ｇに地中埋設管５を設けるのであれば、住宅１の建設後にも容易に設置することができる。さらに、住宅１を建設した場所と異なる場所に設置されていれば、住宅１を改変しなくても容易にメンテナンスをおこなうことができる。
【００６０】
また、上述した地中熱利用装置は、空調装置２の屋外機３の構造を改変しなくても設置することができるので、既に空調装置２及び屋外機３が設置されている場合であっても容易に適用することができる。
【００６１】
さらに、地中埋設管５の排出口５２と屋外機３の外気取込口３１との間をカバー部６で覆うことで、地中で熱交換された空気が屋外機３周辺の外気と混ざり合うことなく外気取込口３１に向けて送り込まれるので、効率よく地中熱を利用することができる。
【実施例１】
【００６２】
以下、前記した実施の形態で説明した住宅１の熱利用構造の効果を確認した実験について説明する。なお、前記実施の形態で説明した内容と同一乃至均等な部分の説明については同一符号を付して説明する。
【００６３】
この実施例１では、地表断熱部７１は、基礎部１０の側壁１ａの一辺（図１では紙面直交方向に延伸）の全長に亘るとともに、住宅１から離隔する方向（図１では住宅１の右側縁から右横方向）には１ｍの長さで配置される。また、地中断熱部７２は、地表断熱部７１の端部（図１では紙面直交方向に延伸）の全長に接合されるとともに、１ｍの深さで配置される。
【００６４】
また、上述した実施の形態とは別の実施の形態として、地表断熱部７１のみを設け、地中断熱部７２を省略した住宅１の熱利用構造についても実験をおこなった。
【００６５】
さらに、比較例として、床下空間１２に空調装置２を設置しない場合についても実験をおこなった。なお、比較例についても、地表断熱部７１と地中断熱部７２の両方を設けた場合と、地表断熱部７１のみを設けた場合の２通りについて実験をおこなった。
【００６６】
この実験の結果、地表断熱部７１と地中断熱部７２の両方を設けた本実施の形態の住宅１の熱利用構造では、基礎部１０の底版１ｂの真下と同等の温度が地中埋設管５の位置においても確認できた。これに比べて、地表断熱部７１のみを設けて地中断熱部７２を省略した住宅１の熱利用構造では、側方に消失する熱量が多くなって、地中埋設管５周辺の温度が地表断熱部７１と地中断熱部７２の両方を設けた場合に比べて低下していた。
【００６７】
一方、空調装置２を設置しない比較例では、空調装置２から放出される熱量が無い分だけ地盤Ｇの温度が低くなり、本発明の住宅１の熱利用構造が、空調装置２から放出される熱を有効に活用できていることが実証できた。
【００６８】
なお、他の構成及び作用効果については、前記実施の形態と略同様であるので説明を省略する。
【実施例２】
【００６９】
以下、前記実施の形態で説明した住宅１の熱利用構造とは別の形態の住宅１Ａの熱利用構造について、図３を参照しながら説明する。なお、前記実施の形態で説明した内容と同一乃至均等な部分の説明については、同一用語又は同一符号を付して説明する。
【００７０】
前記実施の形態では、べた基礎の基礎部１０の上に構築される住宅１を使って説明したが、この実施例２では、布基礎１ｄによって構成される基礎部１０Ａの上に構築される住宅１Ａを使って説明をおこなう。
【００７１】
この住宅１Ａは、外周側が外断熱部１５によって覆われている。外断熱部１５は、グラスウール、発泡ウレタン、発泡スチロールなどの断熱材によって形成される。
【００７２】
また、外断熱部１５は、布基礎１ｄの外周面に沿って貼り付けられる基礎断熱部１５１と、この基礎断熱部１５１から上方へ連続し外壁１６の外周側に沿って配置される外壁断熱部１５２とから主に構成される。
【００７３】
通常、基礎断熱部１５１は、図３の左側の布基礎１ｄに図示したように、地中に埋設された部分の側面にまで貼り付けられる。これに対して、地表断熱部７１及び地中断熱部７２が設けられた側（図３の右側の布基礎１ｄ）では、基礎断熱部１５１Ａは、地表断熱部７１の上面に接する位置まで設ければよい。
【００７４】
すなわち、図３の右側の布基礎１ｄの側方から外部に漏出する温熱又は冷熱は、地表断熱部７１及び地中断熱部７２によって消失が抑えられるので、地表断熱部７１より下方の基礎断熱部を省略することができる。
【００７５】
このように地表断熱部７１及び地中断熱部７２が設けられた住宅１Ａの熱利用構造であれば、床下空間１２の側方の断熱性能を地表断熱部７１及び地中断熱部７２によって維持することができるので、基礎断熱部の一部を省略することができて経済的である。
【００７６】
また、前記実施の形態で説明したように、床下空間１２に面する基礎部１０の内周面を基礎断熱部１４で覆う場合も、地表断熱部７１に隣接する側では基礎断熱部１４を省略又は削減することができて経済的である。
【００７７】
なお、他の構成及び作用効果については、前記実施の形態又は実施例１と略同様であるので説明を省略する。
【００７８】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００７９】
例えば、前記実施の形態及び実施例では、住宅１，１Ａの熱利用構造について説明したが、これに限定されるものではなく、住宅１，１Ａ以外の建物に対しても本発明を適用することができる。
【００８０】
また、前記実施の形態では、屋外機３に接続されるヒートポンプ式の空調装置２について説明したが、これに限定されるものではなく、床下空間１２を暖める又は冷やすことの少なくとも一方ができる空調装置が設置されていれば、本発明を適用することができる。
【００８１】
さらに、前記実施の形態では、地中熱利用装置としての地中埋設管５を使って屋外機３に温風又は冷風を供給し、空調装置２の効率を高める場合について説明したが、これに限定されるものではなく、地中熱利用装置によって地表断熱部７１の下方の地盤Ｇから取り出された温熱又は冷熱を直接、換気口に供給して住宅１の換気による温度低下又は温度上昇を抑えたり、温熱によって住宅１の屋根や周辺に積もった雪を融かしたりするのに利用することができる。
【００８２】
また、前記実施の形態では基礎部１０の内周面に沿って基礎断熱部１４を設けたが、これに限定されるものではなく、基礎部１０の外周面に沿って基礎断熱部を形成することもできる。
【符号の説明】
【００８３】
１，１Ａ        住宅（建物）
１２            床下空間
１４            基礎断熱部
１４ａ          側面部
１５１，１５１Ａ  基礎断熱部
２              空調装置
５              地中埋設管（地中経路）
５１            吸入口
５２            排出口
５３            ファン（送風機）
７１            地表断熱部
７２            地中断熱部
Ｇ              地盤（地中）
Ｈ              熱伝達範囲
【図１】
0005806574.tif 000002
【図２】
0005806574.tif 000003
【図３】
0005806574.tif 000004